(57)【特許請求の範囲】
【請求項１】
軸筒内にスプリングによって附勢されて前後動可能なスライダーが設けられ、且つ、スライダーと蓋体の一端が連結部により接合され、更に軸筒内にサインペン、マーカー、ボールペン等の筆記体が収納又は筆記体と軸筒が一体に形成されてなり、筆記体の先方細径部の外周部がスライダーの内周壁に対し密挿状態で摺接して筆記体に対するスライダーの後退により連結部と連動して上記蓋体の蓋部が拡開されると共に筆記体のペン先部分がスライダーの開口部から突出し、筆記体に対するスライダーの前進によって連結部により連動して上記蓋体がスライダーの開口部を密閉するように回動して、ペン芯部位が上記筆記体の外周部がスライダーの内周壁に摺接する部位と蓋部との間に形成されるシール室内に密嵌されるように構成される筆記具に於いて、
蓋体は、脚部にストレート状の長窓とその後部に脚部の内外面に突出したピンが形成され、また、スライダーは、側面にピンとストレート部から略半円形又は傾斜状となる案内窓部が形成され、更に、軸筒の側面にはＬ状の窓が形成されて、蓋体の長窓にスライダーのピンが嵌入し、スライダーの案内窓部に蓋体の内面側のピンが嵌入して、蓋体がスライダーの両側に脚部で軸支されると共に、蓋体の外面側のピンが軸筒のＬ状の窓に嵌入してそれぞれ連結されて連動可能となるキャップレス式筆記具。
【請求項２】
蓋部が拡開され、筆記体のペン先部分がスライダーの開口部から突出して蓋体の回転が完了した時に、同時に蓋体が径方向斜め下方に移動されて、蓋部が軸筒の側面内に格納された状態となるように、スライダーには、ストレート部から径方向斜下方へ延ばした傾斜状の案内窓部が形成されたことを特徴とする上記請求項１記載のキャップレス式筆記具。
【請求項３】
筆記体収納時にはスプリングの付勢加重で常に蓋部の内面とスライダーの外面が当接するシール部が押圧状態となるように構成されたことを特徴とする上記請求項１記載のキャップレス式筆記具。
【発明の詳細な説明】
【０００１】
【産業上の利用分野】
本発明は、マーカー、サインペン、水性ボールペン等の揮発性のインキを搭載したキャップレス式筆記具等の改良に関する。
【０００２】
【従来の技術】
従来、マーカー、サインペン等の揮発性の有るインキを搭載した筆記具はペン先をシールする為にキャップが取付けられている。従って、キャップを着脱する煩わしさとキャップを紛失してしまう等の問題がある。又、そのような問題を解決する為にキャップレスの筆記具が多数知られているが、まったくシール機構の無いものは長期の保存に耐える事が困難であり、可能であっても揮発しにくいインキを搭載する事で筆記した描線が乾きにくい等の問題も発生しやすい。さらにキャップレス式の物ではシール性を確実に克服したものは少ない。又、本願のように開閉蓋でシールするものも存在するが構造が複雑で安価に提供できない。又、蓋部を開閉するためにヒモ等の連結部を用いたものもあるが、開閉機構の安定性がなく落下衝撃や製造バラツキによる不良が発生しやすい等の問題がある。
【０００３】
【発明が解決しようとする課題】
本発明の課題はシールが確実で安価なキャップレス式筆記具を提供することにある。
【０００４】
【課題を解決するための手段】
上記目的を達成するために案出された本発明のキャップレス式筆記具は、軸筒の先方に蓋体とスライダーと筆記体の構成によって開口部を有したシール室が設けられる。作動のスムーズな動きを確保する、またはシール性を確実にする目的でゴム等弾力のある材質のＯリングや蓋板をさらに設ける場合もある。シール室の外部の両側に一対の脚部で軸支された蓋体の蓋部が上記開口部を密閉すると共に、略９０°脚部が回動して蓋部がシール室の上面に位置して開口され、上記軸筒外に突出したノックボタンまたはノック棒を押引することで前後動可能なスライダーが軸筒内にスプリングによって附勢されて設けられ、且つ当該スライダーと上記脚部の一端が連結部により接合されて成り、更に軸筒内にサインペン、マーカー等の筆記体が収納されている。上記スライダーと蓋体を連動するように設けて、収納時には筆記体先端のペン先部位がシール室内に密挿され、筆記体に対する上記スライダーの後退により連結部と連動して上記蓋部が拡開されると共にペン先が突出し、筆記体に対するスライダーの前進によって連結部により連動して上記蓋部が開口部を密閉するように回動して、ペン先部位が上記シール室内に密嵌されるように構成されている。複数の長窓とピンによる連結部の組合わせによって収納状態、蓋体が軸方向へ直進、開動、筆記状態、閉動、軸方向へ後退、収納状態という一連の連動をする様に少なくとも２箇所の長窓とピンとの組合わせを設けて、その長窓とピンの組合わせのうち、一方の長窓には軸方向のストレート部と連続した略半円形または傾斜状の案内窓部を有するように構成する。
【０００５】
【実施例】
本発明はインキの蒸発を伴うサインペン、マーカー、水性ボールペン等のオートキャップ筆記具に関するもので図１乃至図１１は第１実施例を示している。軸筒１はその先方に後述する筆記体やスライダー３等を出没させる開口部を有し、スライダー３と筆記体のリフィール筒７とゴム製のＯリング５と蓋体２によってシール室が形成されて筆記体の収納時にはインクの揮発が抑制される所謂キャップした状態となる。スライダー３の両側には案内溝部１４とスライドピン１３が設けられ、蓋体２にはスライダー３の両側に対応した脚部２ーａを設けて、その脚部２ーａには長窓１２とピンＡ１１及びピンＢ１６を設ける。この蓋体２の長窓１２にはスライダー３のスライドピン１３が、スライダー３の案内溝部１４には蓋体２の径方向内方向のピンＢ１６が、さらには軸筒１のＬ窓１５には蓋体２の径方向外方向のピンＡ１１が、それぞれピンが長窓に沿って移動可能なように遊嵌されており、スライダー３の案内溝部１４は軸後方部分はストレートでその前方部分は略半円径または傾斜状に形成されている。
【０００６】
スライダー３には軸筒１の外に突出したボタン４が回転自由に圧入されており、軸筒１内部のスプリング６によって筆記体を軸方向後方へ、また、スライダー３を軸方向前方へ常時付勢させて、ボタン４を後方へスライドさせる事によってスライダー３が後方へ移動する様に構成されている。ここでまず、筆記体の収納状態から筆記可能なペン先突出状態までを説明する。スライダー３が後方へ移動する事で、スライドピン１３も後方へ蓋体２の長窓１２に沿って移動し、同様にスライダー３の案内溝部１４も後方へ蓋体２のピンＢ１６に沿って移動している。この時、筆記体を内蔵している軸筒１と蓋体２のピンＡ１１と遊挿されているので相対的には移動しておらず、スライダー３のみが後方へ移動しているため、シール室の密閉状態が解除されてスライダー３の前端と蓋体２のシール部との間に隙間が開いて、蓋体２がスライダー３の前端に接触しないで回動を開始できる状態となる。
【０００７】
さらにボタン４を後方へ移動させることでスライダー３も移動し、スライドピン１３が蓋体２の長窓１２の後方の壁に当接し、同時に案内溝部１４のストレート部もピンＢ１６に当接あるいはごく近傍まで移動している。この後さらにスライドを続けるとスライドピン１３とピンＢ１６が相対的にさらに近付くことになって蓋体２をスライドピン１３を回転軸として回転させ始め、スライドピン１３で蓋体２を軸方向後方へ後退させながら同時にピンＡ１１は案内溝部１４の半円部に沿って移動し、さらに同時にピンＡ１１と同軸心のピンＢ１６は軸筒１のＬ窓１５に沿って径方向下方へ移動する。これによってキャップが半自動的に開く動作となる。
【０００８】
蓋体２が略９０°の角度まで開いた後、さらにスライドすると、スライダー３は後退を続けてスライドピン１３は蓋体２を後方へ移動させると同時に、ピンＡ１１は回動を完了して軸筒１のＬ窓１５の下方にある軸方向ストレート部に沿って移動する。この動作によって筆記体のペン先９が十分に軸筒１の開口前端より突出して筆記可能となる。軸筒１にはボタン４が移動可能なスリット溝１７が設けられ、ボタン４は径方向に回転可能であるので軸筒１に設けられたスリット溝１７と一体の鈎状の拡大溝１８に係止することで筆記状態を保持している。この筆記状態保持方法は一般的に用いられているカーンノック式や軸窓へクリップ係止部を係止する方式や松葉部材を使用した方式などを筆記具の要求項目によって適宜選択することが可能である。
【０００９】
一方、収納動作について説明すると、ボタン４を解除方向へ回転させることで軸筒１との係止が解除されてボタン４とスライダー３はスプリング６の弾発力によって前方へ移動を始める。そのことによって、収納状態から筆記可能状態までの動作とまったく逆の動作によって収納状態に戻る。収納状態の時には蓋体２の長窓１２の前方の壁とスライダー３のスライドピン１３、およびスライダー３の案内溝部１４の後方の壁と蓋体２のピンＢ１６は当接しないように設けられる。  このことで、収納時には蓋体２のシール部とスライダー３前方の斜面がクサビ状に圧接されて、シール部にスプリング６による付勢荷重が常にかかっていることでシール性を確実にしている。このシール方法には蓋体２に弾性のあるゴム製のシール部材を追加または蓋体２自体を弾性のある材質で成形する方法や、一般的な凸凹嵌合によるキャップのシールの方法などが適宜選定される。
【００１０】
ここで筆記体は、先方が細径のリフィール筒７とその内部にインキを含浸した中綿１０を内蔵して、後端には尾栓８が圧入されている。筆記体の前方には筆記部となるペン先９が固定されており、リフィール筒７内部には中綿１０を収納してある大径部分からペン先９圧入部を経由して外気に通気する通気路１９が設けられている。さらにリフィール筒７の前端付近外周にはシール性の向上と動作を安定してスムーズにさせる目的でＯリング５を嵌着固定してある。筆記体はサインペン、マーカー、水性ボールペンなど揮発しやすいインキを使用したもののうち適宜選択が可能であり、筆記体の内部構造も中綿式に限定されるものではなく、インキを直接保蔵するタイプなどを同様に選択可能である。
【００１１】
尚、Ｏリング５は前記スライダー３の内周壁に対し密挿状態で且つ摺動可能な範囲で周接するもので、摩擦力を軽減する為にゴムやシリコン系、弾性樹脂等の材質又はオイル等のコーティングが工夫される。又、Ｏリングの代わりに半流動性を有したシール材などが適用されても良いし、リフィール筒７をやや弾性のある軟質ポリエチレンで成形すればＯリングを省略する事も可能であるし、更に、スライダー３内部に筒状のゴム部品を固定したり、内面をコーティングしたり、スライダー３をゴム系の部品とする事、等でＯリングと同様の作用を得られる。  ところで、前記の蓋体２、スライダー３、筆記体のリフィール筒７、尾栓８は夫々インキの蒸発を防止可能とする合成樹脂材料や金属材料が選択されるが、特に、キシレンなどの溶剤を使用したマーカー（所謂油性マーカー）ではゴムやＰＰやＰＥなどの材質ではインク蒸発成分が透過してしまうので、ＰＢＴや金属、ガラスといった溶剤透過防止性のある材質が選択されるため、本発明の様な蓋体２とスライダー３の間はテーパーと円周状のシール面の組合わせとしてゴム部品を使用せず、Ｏリングも弾性ＰＢＴ等の材質を選択した方が有利となる。ただし、軸筒１はリフィール筒７とは別部材となせば外装部はそれに限定されないがリフィール筒７を省略して軸筒１で代用する事も可能であるため、その場合には軸筒１も同様のインク蒸発抑制部材でなければならない。又、蓋体２の蓋部と脚部２ーａとを別体とすれば、蓋部のみを蒸発を防止可能な材料と成せばよい。さらに、ピンと長窓の組合わせは最低２組以上の複数が必要であるが、外観や動作の要求から３個以上のリンクの組合わせにしたものでも、さらにはピンと長窓の組合わせが合致していれば良いので設置部材が逆転していても（蓋体２に案内溝部１４が設けられてスライダー３にピンＢが設けられる等）、さらにはピンを別部材としたもの、等々でも本発明と同様の効果が得られる。
【００１２】
図１２及び図１３は本発明の第２実施例を示している。第１実施例との差異点について説明すると、スライダー３に設けられている案内溝部１４の半円形を傾斜状としてさらに径方向斜め下方に延ばしたものであり、筆記時には第１実施例のものよりも蓋体２が下方へ移動しており、軸筒１の外周から突出しない状態で格納可能となっており、筆記時に蓋体２が邪魔にならないという利点がある点が第１実施例との差異である。さらにはシール性や摺動性の向上を目的として各シール部又はシール部材にオイル、グリス、石鹸、コーティングなどを塗付したり、材料に直接混練りして成形したりしても良い。
【００１３】
【作用】
本発明のキャップレス式筆記具は以上のように構成されており、未使用時には図１、図２、図４に示すように蓋体２がスライダー３の開口部を密閉してペン先部位がスライダー３内壁と蓋体２とＯリング５と筆記体との間で密嵌されてインキの蒸発とペン先９の乾燥が防止される。又、図３、図１１に示すようにボタン４を後退操作するとスライダー３が後退し、連結部が連動して蓋体２が略９０°回動して開口部が開放されて、更に後退して筆記体のペン先９が開口部から突出した状態で係止されて筆記状態となる。その際、スライダー３の後退で蓋体２が拡開するまで複数の組合わせの連結部のピンが長窓に沿ってそれぞれ移動する事で蓋体２が回頭するように作用して自動的にキャップをはずした状態になる。又、ボタン４の軸筒１との係止を解除するだけでスライダー３が前進して自動的に筆記体収納状態となって確実なシールがなされる。
【００１４】
【発明の効果】
本発明のキャップレス式筆記具の構成及び作用は以上の如くであり、従来の着脱式のキャップでペン先を被覆した物のように、筆記の度にキャップを着脱する煩わしさもなく、キャップを紛失してしまう心配もなく、又、キャップの着脱の際に誤って手を汚してしまう等の問題もなく使用できる。又、構造が簡単で且つヒモ等の不安定な部材を使用していないので、組み立ても簡単で耐落下衝撃性の向上や製造バラツキに対する安定性も向上する上、安価に提供が可能である。
【図面の簡単な説明】
【図１】  本発明の第１実施例を示す縦断面図であり、筆記体を収納した状態を示す。
【図２】  本発明の第１実施例を示す横断面図であり、筆記体を収納した状態を示す。
【図３】  本発明の第１実施例を示す先端部正面図で、筆記状態を示す。尚、内部を透視する為に要所を断面して図示している。
【図４】  本発明の第１実施例を示す先端部正面図で、筆記体を収納した状態を示す。
【図５】  図４のＡ−Ａ断面に対応する断面図である。
【図６】  図４のＢーＢ断面に対応する断面図である。
【図７】  本発明の第１実施例の部品図で蓋体の正面図を示す。
【図８】  本発明の第１実施例の部品図で蓋体の横断面図を示す。
【図９】  本発明の第１実施例の部品図でスライダーの正面図を示す。
【図１０】  本発明の第１実施例の部品図でスライダーの横断面図を示す。
【図１１】  本発明の第１実施例を示す先端部正面図で、蓋体の回転途中の状態を示す。
【図１２】  本発明の第２実施例を示す先端部正面図で、筆記体を収納した状態を示す。
【図１３】  本発明の第２実施例を示す先端部正面図で、筆記状態を示す。
【符号の説明】
１  軸筒
２  蓋体
２ーａ  脚部
３  スライダー
４  ボタン
５  Ｏリング
６  スプリング
７  リフィール筒
８  尾栓
９  ペン先
１０  中綿
１１  ピンＡ
１２  長窓
１３  スライドピン
１４  案内窓部
１５  Ｌ窓
１６  ピンＢ
１７  スリット溝
１８  拡大溝
１９  通気路
【図１】
0003668523.tif 000002
【図２】
0003668523.tif 000003
【図３】
0003668523.tif 000004
【図４】
0003668523.tif 000005
【図５】
0003668523.tif 000006
【図６】
0003668523.tif 000007
【図７】
0003668523.tif 000008
【図８】
0003668523.tif 000009
【図９】
0003668523.tif 000010
【図１０】
0003668523.tif 000011
【図１１】
0003668523.tif 000012
【図１２】
0003668523.tif 000013
【図１３】
0003668523.tif 000014